(57)【要約】【課題】引戸障子を閉じたときにより確実に引戸障子の移動を規制することが可能な建具を提供することにある。【解決手段】引戸障子と、引戸障子を閉じたときに引戸障子の戸先が当接される戸先枠を備えた枠体と、引戸障子及び戸先枠のいずれか一方に設けられ見込み方向に向く回動軸に回動自在に軸支されており、引戸障子を閉じるときに回動軸側の基端部の上方に先端部が位置する起立状態と引戸障子を開いたときに回動して先端部が基端部の側方に位置して引戸障子と戸先枠との間に突出する突出状態との間で回動する回動部材と、一方に設けられ回動部材と係合し、当該回動部材を起立状態に保持する保持部材と、他方に設けられ、引戸障子を閉じたときに、保持部材と係合して回動部材の起立状態を解除する解除部材と、を有し、起立状態の回動部材は、引戸障子の移動方向において回動軸よりも他方側に重心が位置している。【選択図】図４
2018188893.tif 000002
【特許請求の範囲】
【請求項１】
引戸障子と、
前記引戸障子を閉じたときに前記引戸障子の戸先が当接される戸先枠を備えた枠体と、
前記引戸障子及び前記戸先枠のいずれか一方に設けられ見込み方向に向く回動軸に回動自在に軸支されており、前記回動軸側の基端部の上方に先端部が位置する起立状態と、前記引戸障子を開いたときに回動して前記先端部が前記基端部の側方に位置して前記引戸障子と前記戸先枠との間に突出する突出状態との間で回動する回動部材と、
前記一方に設けられ前記回動部材と係合して当該回動部材を前記起立状態に保持する保持部材と、
前記引戸障子及び前記戸先枠の他方に設けられ、前記引戸障子を閉じたときに、前記保持部材と係合して前記回動部材の前記起立状態を解除する解除部材と、
を有し、
前記起立状態の前記回動部材は、前記引戸障子の移動方向において前記回動軸よりも前記他方側に重心が位置していることを特徴とする建具。
【請求項２】
請求項１に記載の建具であって、
前記回動部材の重心が前記引戸障子の移動方向において前記回動軸の反対側に位置する状態まで当該回動部材が回動することを規制する回動規制部を有していることを特徴とする建具。
【請求項３】
請求項１または請求項２に記載の建具であって、
前記回動部材は、前記先端部側に前記基端部側より前記他方側に張り出した張出部を有していることを特徴とする建具。
【請求項４】
請求項３に記載の建具であって、
前記他方は、前記引戸障子を閉じるときに突出した前記回動部材が当接される受け部材を有し、
前記受け部材は、前記引戸障子を閉じた状態で、前記回動部材の前記張出部の下方に配置されることを特徴とする建具。
【発明の詳細な説明】
【技術分野】
【０００１】
本発明は、引戸障子を備えた建具に関する。
【背景技術】
【０００２】
引戸障子を備えた建具としては、たとえば開口枠と左右２枚の障子とを備え、開口枠に対して一方の障子のみを左右方向にスライドさせて開閉するようにした片引き窓用の建具が知られている（例えば、特許文献１参照）。このような建具は、開口枠の戸当たり部に回動自在に設けられたストッパー部材を有しており、障子を開いたときにストッパー部材が回動して障子側に突出し、障子を閉じたときに、障子の戸先がストッパー部材に当接されて障子が戸当たり部と間隔を空けた位置で移動が規制されるように構成されている。
【０００３】
移動が規制された障子を閉じるときには、ストッパー部材を回動させて開口枠側に収容した状態でフック部材によりストッパー部材を保持し、障子を閉じることにより障子の戸先に設けられた解除部材がフック部材と係合して保持された状態が解除される。このとき保持された状態が解除されたストッパー部材は、障子を閉じられた状態で先端が障子の戸先に当接するように傾斜した状態となる。
【先行技術文献】
【特許文献】
【０００４】
【特許文献１】特開２０１６−６１０５６号公報
【発明の概要】
【発明が解決しようとする課題】
【０００５】
上記のような建具は、各部材の製品公差や施工誤差により、フック部材により保持されたストッパー部材の姿勢が適切でない場合には、解除部材がフック部材と係合して解除されたとしても、ストッパー部材の先端が障子の戸先側に当接するように傾斜せず、障子を開いてもストッパー部材が突出せず、障子の移動を規制できない虞がある。
【０００６】
本発明は、かかる課題に鑑みてなされたものであり、その目的とするところは、引戸障子を閉じたときに引戸障子の移動をより確実に規制することが可能な建具を提供することにある。
【課題を解決するための手段】
【０００７】
かかる目的を達成するために本発明の建具は、引戸障子と、前記引戸障子を閉じたときに前記引戸障子の戸先が当接される戸先枠を備えた枠体と、前記引戸障子及び前記戸先枠のいずれか一方に設けられ見込み方向に向く回動軸に回動自在に軸支されており、前記回動軸側の基端部の上方に先端部が位置する起立状態と、前記引戸障子を開いたときに回動して前記先端部が前記基端部の側方に位置して前記引戸障子と前記戸先枠との間に突出する突出状態との間で回動する回動部材と、前記一方に設けられ前記回動部材と係合して当該回動部材を前記起立状態に保持する保持部材と、前記引戸障子及び前記戸先枠の他方に設けられ、前記引戸障子を閉じたときに、前記保持部材と係合して前記回動部材の前記起立状態を解除する解除部材と、を有し、前記起立状態の前記回動部材は、前記引戸障子の移動方向において前記回動軸よりも前記他方側に重心が位置していることを特徴とする建具である。
【０００８】
このような建具によれば、起立状態の回動部材は、引戸障子の移動方向において回動軸よりも他方側に重心が位置しているので、引戸障子を閉じて解除部材が保持部材と係合して回動部材の起立状態が解除されたときには、より確実に回動部材の先端が他方側に移動する。このため、引戸障子を開いたときには、回動部材が確実に引戸障子と戸先枠との間に突出するので、その後引戸障子を閉じるときに、突出した回動部材が他方に当接することにより、より確実に引戸障子の移動を規制することが可能である。
【０００９】
かかる建具であって、前記回動部材の重心が前記引戸障子の移動方向において前記回動軸の反対側に位置する状態まで当該回動部材が回動することを規制する回動規制部を有していることが望ましい。
【００１０】
このような建具によれば、回動部材は回動規制部により回動が規制されて、重心が起立状態に対して回動軸の反対側に位置することはないので、回動部材の起立状態が解除されたときに、より確実に回動部材の先端を他方側に移動させることが可能である。
【００１１】
かかる建具であって、前記回動部材は、前記先端部側に前記基端部側より前記他方側に張り出した張出部を有していることが望ましい。
このような建具によれば、回動部材の先端部側に張出部が設けられているので、容易に且つより確実に、起立状態における回動部材の重心を、引戸障子の移動方向において回動軸よりも他方側に位置させることが可能である。
【００１２】
かかる建具であって、前記他方は、前記引戸障子を閉じるときに突出した前記回動部材が当接される受け部材を有し、前記受け部材は、前記引戸障子を閉じた状態で、前記回動部材の前記張出部の下方に配置されることが望ましい。
【００１３】
このような建具によれば、引戸障子を閉じるときに突出した回動部材が当接される受け部材が、引戸障子を閉じた状態では、回動部材の張出部の下方に配置されるので、引戸障子を閉じたときの回動部材と受け部材とをよりコンパクトに配置することが可能である。このため、回動部材と受け部材とを引戸障子と戸先枠との間のより狭いスペースに配置することが可能である。
【発明の効果】
【００１４】
本発明によれば、引戸障子を閉じたときに引戸障子の移動をより確実に規制することが可能な建具を提供することが可能である。
【図面の簡単な説明】
【００１５】
【図１】本実施形態に係る建具の内観図である。
【図２】戸先枠に設けられる規制本体部材を示す斜視図である。
【図３】引戸障子に設けられる受け部材及び解除部材を示す斜視図である。
【図４】図４（ａ）は、回動部材が突出状態の移動規制機構を示す縦断面図であり、図４（ｂ）は、回動部材が起立状態の移動規制機構を示す縦断面図であり、図４（ｃ）は、引戸障子を閉じた状態の移動規制機構を示す縦断面図である。
【図５】突出状態の回動部材が受け部材に当接した状態を示す平断面図である。
【図６】図６（ａ）は、押圧部材がスライドする範囲の下端側にて係止された状態を示す縦断面図であり、図６（ｂ）は、押圧部材がスライドする範囲の上端側にて係止された状態を示す縦断面図であり、図６（ｃ）は、押圧部材が上端側にて係止された引戸障子を閉じた状態の移動規制機構を示す縦断面図である。
【図７】図７（ａ）は、引戸障子を閉じた状態の移動規制機構を示す縦断面図であり、図７（ｂ）は、引戸障子を開いて回動部材が突出状態となった移動規制機構を示す縦断面図であり、図７（ｃ）は、受け部材が回動部材に当接された状態の移動規制機構を示す縦断面図である。
【発明を実施するための形態】
【００１６】
以下、本発明の一実施形態に係る建具について図面を参照して説明する。
本実施形態の建具１は、例えば、引戸障子が設けられた片引きタイプの建具１を例に挙げて説明する。
【００１７】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１８】
図１に示すように、建具１は、矩形状に枠組みされて建物等の躯体に固定される枠体２と、枠体２の内側における左側の領域をＦＩＸガラス３ａにて覆うＦＩＸ窓部３と、枠体２の内側においてＦＩＸ窓部３の右側に形成される開口部２ａを開閉自在に設けられた引戸障子４と、を有している。
【００１９】
枠体２は、上枠２１、下枠２２及び左右の縦枠２３、２４が矩形状に接合されている。本実施形態では、開口部２ａが枠体２の内側における右側に形成されているので、右側の縦枠が、引戸障子４を閉じたときに引戸障子４の戸先が当接される戸先枠２４に相当する。以下の説明では、右側の縦枠を戸先枠２４と称する。
【００２０】
上枠２１及び下枠２２には、引戸障子４の端部が収容され、左右方向に沿って引戸障子４が案内されつつ移動する溝部が、見込み方向における室内側に設けられている。また、戸先枠２４には、図２に示すように、引戸障子４を閉じたときに、引戸障子４の戸先部分が収容される戸先溝２４ａが設けられており、戸先溝２４ａの見込み方向におけるほぼ中央には、枠体２の内周側に突出する枠突出部２４ｂが設けられている。
【００２１】
ＦＩＸ窓部３は矩形状をなすＦＩＸガラス３ａの外周部を収容する矩形状のガラス枠３ｂを有しており、ＦＩＸガラス３ａはガラス枠３ｂを介して枠体２に固定されている。ＦＩＸ窓部３は、ガラス枠３ｂの左側のガラス縦枠が左の縦枠２３に固定され、枠体２とともに右側のガラス縦枠より右側に開口部２ａを形成している。
【００２２】
引戸障子４は、上框４１、下框４２、戸尻框４３及び戸先框４４が矩形状に接合された框体４０と、框体４０に外周端部が収容される引戸ガラス４ａと、を有している。本実施形態のおいては、引戸ガラス４ａの右側に戸先框４４が位置している。戸先框４４には、図３に示すように、引戸障子４を閉じて戸先枠２４の戸先溝２４ａに戸先框４４の戸先部分が収容されたときに、枠突出部２４ｂが挿入される挿入溝４４ａが設けられている。
【００２３】
図１に示すように、枠体２の戸先枠２４と引戸障子４の戸先框４４との間には、建具１の上部側に、引戸障子４を閉じる際に、引戸障子４の戸先枠２４側への移動を所定位置にて規制する移動規制機構５が設けられている。すなわち、引戸障子４は、移動規制機構５により引戸障子４の戸先框４４と戸先枠２４との間に間隔が空く位置にて戸先枠２４側への移動が規制されるように構成されている。
【００２４】
本実施形態の移動規制機構５は、戸先枠２４に固定される規制本体部材５１と、戸先框４４に設けられる受け部材５２及び解除部材５３と、を有している。規制本体部材５１は、戸先枠２４が有する戸先溝２４ａ内に設けられ、受け部材５２及び解除部材５３は、戸先框４４が有する挿入溝４４ａ内に設けられている。
【００２５】
規制本体部材５１は、戸先溝２４ａの底をなす戸先溝内見込み面２４ｃに固定される板状の基材５１０と、基材５１０に固定される台座部材５１１と、台座部材５１１に回動自在に支持される回動部材５１２と、回動部材５１２の上方にて台座部材５１１に回動自在に支持される保持部材５１３と、回動部材５１２及び保持部材５１３の一部を覆うカバー部材５１４と、を有している。
【００２６】
台座部材５１１は、基材５１０に固定される台座板部５１１ａと、台座板部５１１ａの下端部側にて見込み方向における両端部から枠体２の内側にそれぞれ延出されて互いに対向する一対の下対向壁部５１１ｂと、台座板部５１１ａの上端部側にて見込み方向における両端部から枠体２の内側に向かってそれぞれ延出されて互いに対向する一対の上対向壁部５１１ｃと、を有している。一対の下対向壁部５１１ｂ間には、見込み方向に沿って掛け渡される下回動軸５１１ｄが、また、一対の上対向壁部５１１ｃ間には、見込み方向に沿って掛け渡される上回動軸５１１ｅが、それぞれ設けられている。
【００２７】
図４に示すように、下回動軸５１１ｄには、下回動軸５１１ｄまわりに回動自在に回動部材５１２が軸支されている。図４、図６、図７においては、一部のビスを省略している。回動部材５１２は、図４（ｂ）に示すような下回動軸５１１ｄ側となる基端部５１２ａの上方に先端部５１２ｂが位置する起立状態と、図４（ａ）に示すような先端部５１２ｂが基端部５１２ａの側方に位置して引戸障子４と戸先枠２４との間に突出する突出状態との間で回動する。
【００２８】
回動部材５１２の基端部５１２ａ側には、起立状態において当該回動部材５１２が台座板部５１１ａ側に傾斜しないように、回動部材５１２の起立状態にて台座板部５１１ａに当接される傾斜規制部５１２ｃと、突出状態において当該回動部材５１２が突出している状態が維持されるように、回動部材５１２の突出状態にて台座板部５１１ａに当接される突出維持当接部５１２ｄと、が設けられている。
【００２９】
傾斜規制部５１２ｃは、回動部材５１２がほぼ鉛直に起立した起立状態にて、下回動軸５１１ｄより上側にて台座板部５１１ａに当接して、回動部材５１２の先端部５１２ｂが起立状態より台座板部５１１ａ側に移動しないように回動部材５１２の回動を規制する。また、突出維持当接部５１２ｄは、回動部材５１２がほぼ水平に突出した突出状態にて、下回動軸５１１ｄより下側にて台座板部５１１ａに当接して、回動部材５１２の先端部５１２ｂが突出状態より下側に移動しないように回動部材５１２の回動を規制する。
【００３０】
回動部材５１２は、起立状態において、基端部５１２ａ側より引戸障子４側に張り出した張出部５１２ｅが先端部５１２ｂ側に設けられている。すなわち、起立状態の回動部材５１２は、重心Ｇが、下回動軸５１１ｄの中心から鉛直上方に延ばした仮想線Ｌより引戸障子４側に位置している。このため、傾斜規制部５１２ｃが、回動部材５１２の重心Ｇが引戸障子４の移動方向において下回動軸５１１ｄの反対側に位置する状態まで当該回動部材５１２が回動することを規制する回動規制部に相当する。
起立状態の回動部材５１２の先端、すなわち上端には、後述する保持部材５１３のフック部５１３ａ係合し、下方に窪む凹部５１２ｆが設けられている。
【００３１】
上回動軸５１１ｅには、上回動軸５１１ｅまわりに回動自在に保持部材５１３が軸支されている。保持部材５１３は、上回動軸５１１ｅに軸支される保持本体部５１３ｂと、保持本体部５１３ｂの上方に延出され上回動軸５１１ｅの位置から上に向かって台座板部５１１ａとの間隔が漸次広くなる傾斜を有するレバー部５１３ｃと、保持本体部５１３ｂの台座板部５１１ａ側の縁から下方に延出された下延出部５１３ｄと、保持本体部５１３ｂの引戸障子４側に設けられて下方に突出するフック部５１３ａと、を有している。
【００３２】
保持部材５１３は、上回動軸５１１ｅが挿通された捻りばね５１５によりレバー部５１３ｃが台座板部５１１ａから離れる方向に付勢されている。このため、保持部材５１３に外力が作用していない状態では、下延出部５１３ｄが台座板部５１１ａに当接された状態が維持され、レバー部５１３ｃが台座板部５１１ａ側に押圧されると、下延出部５１３ｄが台座板部５１１ａから離れるとともにフック部５１３ａが上昇するように保持部材５１３が回動する。
【００３３】
フック部５１３ａは、保持部材５１３が捻りばね５１５により付勢されている状態で起立状態の回動部材５１２の凹部５１２ｆに係合されるように構成されている。このため、レバー部５１３ｃが台座板部５１１ａ側に押圧されると、フック部５１３ａと凹部５１２ｆとの係合が解除され、回動部材５１２は、自重により回動して引戸障子４側に突出する突出状態となる。
【００３４】
規制本体部材５１は、図２に示すように、台座部材５１１に回動部材５１２及び保持部材５１３が取り付けられた状態で、戸先溝２４ａ内において枠突出部２４ｂが切除された部位に固定され、台座部材５１１にカバー部材５１４が取り付けられる。図５に示すように、取り付けられた状態では、起立状態の回動部材５１２及び起立状態に保持している保持部材５１３は、水平断面において枠突出部２４ｂが設けられている領域内に納まっている。
【００３５】
受け部材５２は、引戸障子の挿入溝４４ａにおいて、突出状態の回動部材５１２の先端と対向する部位に設けられ、回動部材５１２が起立状態では回動部材５１２の基端部５１２ａと対向する。このため、引戸障子４を閉じて回動部材５１２の起立状態が解除されたときには、図４（ｃ）に示すように、受け部材５２が張出部５１２ｅの下に入り込む。また、引戸障子４を閉じた状態では、受け部材５２は回動部材５１２の張出部５１２ｅの下方に配置されている。
【００３６】
受け部材５２は、回動部材５１２の先端が当接される当接部材５２１と、突出状態の回動部材５１２を当接部材５２１側に案内するガイド部材５２２とを有している。
【００３７】
ガイド部材５２２は、挿入溝４４ａの底をなす挿入溝内見込み面４４ｂに固定される固定部５２２ａと固定部５２２ａの見込み方向における両端部から各々戸先枠２４側に突出しつつ互いの間隔が広がるように設けられた一対のガイド部５２２ｂと、を有している。当接部材５２１は、ゴムなどの軟質の合成樹脂にて形成されており、固定部５２２ａの戸先枠２４側に設けられている。
【００３８】
解除部材５３は、図３に示すように、受け部材５２より上方の挿入溝内見込み面４４ｂに固定されるケース部材５３１と、上下方向にスライド可能にケース部材５３１に設けられた押圧部材５３２と、を有している。
【００３９】
押圧部材５３２は、図３、図４に示すように、ケース部材５３１内に収容されるスライド部５３２ａと、スライド部５３２ａから戸先枠２４側に延出されケース部材５３１に設けられた開口５３１ａから突出する押圧片５３２ｂと、を有している。押圧部材５３２は、スライドする範囲の上端側と下端側とて各々係止可能に構成されている。
【００４０】
スライドする範囲の下端側にて係止された押圧部材５３２の押圧片５３２ｂは、図６（ａ）に示すように、戸先枠２４に設けられた規制本体部材５１のレバー部５１３ｃと対向するように構成されており、スライドする範囲の上端側にて係止された押圧部材５３２の押圧片５３２ｂは、図６（ｂ）に示すように規制本体部材５１のレバー部５１３ｃより上方に位置するように構成されている。このため、押圧部材５３２がスライドする範囲の下端側にて係止された状態で引戸障子４を閉じると、押圧片５３２ｂがレバー部５１３ｃと係合する。このとき、回動部材５１２にフック部５１３ａが係合して回動部材５１２が起立状態をなしている場合には、レバー部５１３ｃが押圧片５３２ｂに押圧されて係合が解除される。
【００４１】
一方、押圧部材５３２がスライドする範囲の上端側にて係止された状態で引戸障子４が閉じられた場合には、図６（ｃ）に示すように、押圧片５３２ｂがレバー部５１３ｃと係合しないので、回動部材５１２は起立状態のまま維持される。
【００４２】
建具１は、解除部材５３の押圧部材５３２がスライドする範囲の下端側にて係止されて引戸障子４が閉じられている状態では、図７（ａ）に示すように、押圧部材５３２の押圧片５３２ｂが規制本体部材５１のレバー部５１３ｃを押圧して、回動部材５１２とフック部５１３ａとの係合が解除されている。このとき、回動部材５１２は、自重により先端部５１２ｂが引戸障子４に当接して傾斜している。
【００４３】
回動部材５１２の先端部５１２ｂが引戸障子４に当接して傾斜している状態から、引戸障子４を開くと、図７（ｂ）に示すように、回動部材５１２は下回動軸５１１ｄを中心に回動し、突出維持当接部５１２ｄが台座板部５１１ａに当接して回動が規制され突出状態となる。その後、引戸障子４を閉じると、図７（ｃ）に示すように、突出状態の回動部材５１２に引戸障子４の受け部材５２の当接部材５２１に当接して引戸障子４の戸先枠２４側への移動が規制される。
【００４４】
戸先枠２４側への移動が規制された引戸障子４を閉じるときには、図４（ａ）に示すように、突出している回動部材５１２を先端部５１２ｂが上方に向くように回動させる。このとき、捻りばね５１５により付勢されている保持部材５１３のフック部５１３ａを、回動部材５１２により押し上げるように回動させ、回動部材５１２の凹部５１２ｆにフック部５１３ａが係合することにより、図４（ｂ）に示すように、回動部材５１２が起立状態で保持される。
【００４５】
回動部材５１２を起立状態に保持した後に、引戸障子４を閉じることにより、図４（ｃ）に示すように、押圧部材５３２の押圧片５３２ｂが規制本体部材５１のレバー部５１３ｃを押圧して、回動部材５１２とフック部５１３ａとの係合が解除され、回動部材５１２は、自重により先端部５１２ｂが引戸障子４に当接して傾斜する。
【００４６】
また、解除部材５３の押圧部材５３２がスライドする範囲の上端側にて係止されている場合には、図６（ｃ）に示すように、引戸障子４を閉じても押圧部材５３２の押圧片５３２ｂはレバー部５１３ｃを押圧しないので、回動部材５１２は起立状態に保持されている。
【００４７】
本実施形態の建具１によれば、起立状態の回動部材５１２は、引戸障子４の移動方向において下回動軸５１１ｄよりも引戸障子４側に重心Ｇが位置しているので、引戸障子４を閉じて解除部材５３の押圧片５３２ｂが保持部材５１３のレバー部５１３ｃと係合して回動部材５１２の起立状態が解除されたときには、より確実に回動部材５１２の先端が引戸障子４側に移動する。このため、引戸障子４を開いたときには、回動部材５１２が確実に引戸障子４と戸先枠２４との間に突出するので、その後引戸障子４を閉じるときに、突出した回動部材５１２が引戸障子４に当接することにより、より確実に引戸障子４の移動を規制することが可能である。
【００４８】
また、回動部材５１２は傾斜規制部５１２ｃにより回動が規制されて、重心Ｇが起立状態に対して下回動軸５１１ｄの反対側に位置することはないので、回動部材５１２の起立状態が解除されたときに、より確実に回動部材５１２の先端を引戸障子４側に移動させることが可能である。
【００４９】
また、回動部材５１２の先端部５１２ｂ側に張出部５１２ｅが設けられているので、容易に且つより確実に、起立状態の回動部材５１２の重心Ｇを、引戸障子４の移動方向において下回動軸５１１ｄよりも引戸障子４側に位置させることが可能である。
【００５０】
また、引戸障子４を閉じるときに突出した回動部材５１２が当接される受け部材５２が、引戸障子４を閉じて起立状態が解除された回動部材５１２の張出部５１２ｅの下方に配置されるので、引戸障子４を閉じたときの回動部材５１２と受け部材５２とをよりコンパクトに配置することが可能である。このため、引戸障子４と戸先枠２４との間のより狭いスペースに配置することが可能である。
【００５１】
上記実施形態においては、引戸障子４と戸先枠２４とのいずれか一方として戸先枠２４に、回動部材５１２及び保持部材５１３を有する規制本体部材５１が設けられ、引戸障子４の戸先框４４に受け部材５２及び解除部材５３が設けられている例について説明したが、これに限るものではない。たとえば、戸先枠２４に受け部材５２及び解除部材５３が設けられ、戸先框４４に回動部材５１２及び保持部材５１３を有する規制本体部材５１が設けられていても構わない。
【００５２】
上記実施形態においては、引戸障子４が設けられた片引きタイプの建具１を例に挙げて説明したが、これに限らず、例えば、引き違いタイプの建具など、引戸障子４が設けられる建具であれば構わない。
【００５３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５４】
１  建具、２  枠体、 ４  引戸障子、２４  戸先枠、５２  受け部材、
５３  解除部材、５１１ｄ  下回動軸、５１２  回動部材、５１２ａ  基端部、
５１２ｂ  先端部、５１２ｃ  傾斜規制部、５１２ｅ  張出部、５１３  保持部材、
Ｇ  重心、
【図１】
2018188893.tif 000003
【図２】
2018188893.tif 000004
【図３】
2018188893.tif 000005
【図４】
2018188893.tif 000006
【図５】
2018188893.tif 000007
【図６】
2018188893.tif 000008
【図７】
2018188893.tif 000009